(57)【要約】表示画面２を接触することにより、入力操作を行う接触型入力装置１に対し、スタイラスペンを使用することなく、容易に表示画面の拡大を行うことができるタッチパネル入力装置及びタッチパネル入力方法を提供する。表示画面２への接触操作を受け付けて、接触位置を取得する入力受付手段４と、接触位置に基づき、表示画面２に表示画像を拡大表示する拡大表示手段６とを備える。
2009022671.tif 000002
【特許請求の範囲】
【請求項１】
表示手段を接触することにより、入力操作を行う接触型入力装置であって、
前記表示手段への接触操作を受け付けて、接触位置を取得する入力受付手段と、
前記接触位置に基づき、前記表示手段に表示画像を拡大表示する拡大表示手段と、
を備えたことを特徴とする接触型入力装置。
【請求項２】
前記表示手段への前記接触操作が、ユーザによる接触操作であるか否か、を判断する操作判断手段と、
前記操作判断手段により前記接触操作が前記ユーザによる接触操作ではないと判断された場合には、前記入力操作を拒否する誤動作防止手段をさらに備え、
前記入力受付手段は、前記操作判断手段により前記接触操作が前記ユーザによる接触操作であると判断された場合には、前記入力操作を受け付けることを特徴とする請求項１に記載の接触型入力装置。
【請求項３】
前記拡大表示手段は、前記拡大表示された表示画像を接触することにより、前記入力受付手段によって取得された接触位置に基づき、前記表示画像をさらに拡大表示することを特徴とする請求項１又は２に記載の接触型入力装置。
【請求項４】
センサをさらに備え、
前記操作判断手段は、
前記表示手段が、前記ユーザによる前記接触操作を受付可能であるか否か、を判断する第１の判断手段と、
前記センサにより検知された結果に基づき、前記ユーザの状態を判断する第２の判断手段と、
を備えることを特徴とする請求項１乃至３の何れか１項に記載の接触型入力装置。
【請求項５】
前記拡大表示手段は、拡大表示した表示画像がある場合であって、前記操作判断手段によって前記ユーザの状態が第１の状態から第２の状態に変化したと判断される場合に、前記拡大表示した表示画像を閉じる拡大表示画像終了手段を備えることを特徴とする請求項１乃至４の何れか１項に記載の接触型入力装置。
【請求項６】
前記ユーザの操作により、前記拡大表示された表示画像を閉じる操作画面終了手段を更に備えることを特徴とする請求項１乃至５の何れか１項に記載の接触型入力装置。
【請求項７】
前記センサは光センサであって、
前記第２の判断手段は、前記光センサの遮光を検知して、前記ユーザの状態を判断することを特徴とする請求項４に記載の接触型入力装置。
【請求項８】
表示画面を接触することにより、入力操作を行う接触型入力方法であって、
前記表示画面への接触操作を受け付け、
受け付けられた接触操作の接触位置を取得し、
前記接触位置に基づき、前記表示画面に表示画像を拡大表示することを特徴とする接触型入力方法。
【請求項９】
前記表示画面への前記接触操作が、ユーザによる接触操作であるか否か、を判断し、
前記接触操作が、前記ユーザによる接触操作ではないと判断された場合には、前記入力操作を拒否し、
前記接触操作が、前記ユーザによる接触操作であると判断された場合には、前記入力操作を受け付けることを特徴とする請求項８に記載の接触型入力方法。
【請求項１０】
前記拡大表示された表示画像を接触することにより、受け付けられた接触位置に基づき、前記表示画像をさらに拡大表示することを特徴とする請求項８又は９に記載の接触型入力方法。
【請求項１１】
前記表示画面が、前記ユーザによる前記接触操作を受付可能であるか否か、を判断し、
センサにより検知された結果に基づき、前記ユーザの状態を判断する、
ことを特徴とする請求項８乃至１０の何れか１項に記載の接触型入力方法。
【請求項１２】
拡大表示した表示画面がある場合であって、前記ユーザの状態が第１の状態から第２の状態に変化したと判断される場合に、前記拡大表示した表示画像を閉じることを特徴とする請求項８乃至１１の何れか１項に記載の接触型入力方法。
【請求項１３】
前記ユーザの操作により、前記拡大表示された表示画面を閉じることを特徴とする請求項８乃至１２の何れか１項に記載の接触型入力方法。
【請求項１４】
前記センサは光センサであって、
前記光センサの遮光を検知して、前記ユーザの状態を判断することを特徴とする請求項１１に記載の接触型入力方法。
【請求項１５】
表示画面を接触することにより、入力操作を行う接触型入力方法をコンピュータに実行させるためのプログラムであって、
前記表示画面への接触操作を受け付けて、接触位置を取得する入力受付処理と、
前記接触位置に基づき、前記表示画面に表示画像を拡大表示する拡大表示処理と、
をコンピュータに実行させることを特徴とするプログラム。
【請求項１６】
前記表示画面への前記接触操作が、ユーザによる接触操作であるか否か、を判断する操作判断処理と、
前記接触操作が、前記ユーザによる接触操作ではないと判断された場合には、前記入力操作を拒否する誤動作防止処理と、
前記接触操作が、前記ユーザによる接触操作であると判断された場合には、前記ユーザの入力操作を受け付ける入力受付処理をコンピュータに実行させることを特徴とする請求項１５に記載のプログラム。
【請求項１７】
前記拡大表示された表示画像を接触することにより、受け付けられた接触位置に基づき、前記表示画像をさらに拡大表示する処理をコンピュータに実行させることを特徴とする請求項１５又は１６に記載のプログラム。
【請求項１８】
前記表示画面が、前記ユーザによる前記接触操作を受付可能であるか否か、を判断する第１の判断処理と、
センサにより検知された結果に基づき、前記ユーザの状態を判断する第２の判断処理と、
をコンピュータに実行させることを特徴とする請求項１５乃至１７の何れか１項に記載のプログラム。
【請求項１９】
拡大表示した表示画面がある場合であって、前記ユーザの状態が第１の状態から第２の状態に変化したと判断される場合に、前記拡大表示した表示画像を閉じる処理をコンピュータに実行させることを特徴とする請求項１５乃至１８の何れか１項に記載のプログラム。
【請求項２０】
前記ユーザの操作により、前記拡大表示された表示画面を閉じる処理をコンピュータに実行させることを特徴とする請求項１５乃至１９の何れか１項に記載のプログラム。
【請求項２１】
前記センサは光センサであって、
前記光センサの遮光を検知して、前記ユーザの状態を判断することを特徴とする請求項１８に記載のプログラム。
【請求項２２】
表示手段と、前記表示手段を接触することにより入力操作を行う入力装置を備えた端末装置であって、
前記入力装置は、前記表示手段への接触操作を受け付けて、接触位置を取得する入力受付手段と、前記接触位置に基づき、前記表示手段に表示画像を拡大表示する拡大表示手段とを備えたことを特徴とする端末装置。
【発明の詳細な説明】
【技術分野】
【０００１】
本発明は、接触型入力装置及び接触型入力方法に関し、特に、ユーザによる情報処理端末への入力操作を補助する、接触型入力装置、接触型入力方法及びプログラムに関する。
【背景技術】
【０００２】
近年、自動車の進路を案内する端末や銀行業務の操作を行う端末などに、接触型の入力装置を備えた、情報処理装置が普及しつつある。【０００３】
このような接触型の入力装置において、ユーザは、タッチパネル上の一部分を接触操作して、該当する部分の処理項目を選択し、或いは、文字情報或いは画像情報を入力する。これにより、目的の情報処理を実行する。【０００４】
また、最近の技術の進歩により、携帯型の情報処理端末やゲーム機等も普及している。これらの情報処理端末やゲーム機にも、接触型の入力装置が適用されている。【０００５】
接触型の入力装置を備えた携帯端末やゲーム機などの普及と共に、携帯端末におけるＷＷＷ（ｗｏｒｌｄ  ｗｉｄｅ  ｗｅｂ）サイトのブラウジングの機能が普及している。ＷＷＷサイトのブラウジングの操作の際には、細かい操作に対応したスタイラスペンが使用されている。【０００６】
このスタイラスペンを用いても、ユーザに入力を要求する接触型のディスプレイを備える端末においては、ディスプレイ上での細かい操作が必要である。そのため、誤作動が起き易かった。【０００７】
接触型の入力装置に関する技術が、特許文献１に記載される。【０００８】
【特許文献１】特開２００６−５６５５号公報
【発明の開示】
【０００９】
しかしながら、特許文献１に記載された接触型の入力装置において、タッチパネルに自分の指を使って入力する場合、指がタッチパネルに接触する面積が大きくなる。隣り合うアイコンを識別して、目的のアイコンのみに指を接触させることが困難である。それゆえ、自分が選択したいアイコン付近の間違ったアイコンを選択してしまうことがあった。
【００１０】
特に、フルブラウザ画面を、携帯電話などの携帯端末の小さい画面上で表示する際には、ブラウザの拡大、縮小などの表示を素早く行う必要がある。また、密集したアイコンに対する選択操作が必要とされる。このため、スタイラスペンが必須であった。
【００１１】
このスタイラスペンを使用した場合でも、誤ったアイコンが選択されることがあり、操作性はあまり良くなかった。
【００１２】
ＰＤＡ（ｐｅｒｓｏｎａｌ  ｄｉｇｉｔａｌ  ａｓｓｉｓｔａｎｔ）や携帯電話等の携帯端末の小さい画面では、パーソナルコンピュータと異なり、ブラウザの広い範囲を確認することが困難である。ブラウザの文字サイズを大きくして、文字を見易く設定した状態ではなおさらである。
【００１３】
このため、目的のアイコン等に、なかなか辿り着けないという問題があった。
【００１４】
また、ブラウザに表示される文字の大きさの変更などの煩雑な作業に対して、ユーザがスタイラスペンの操作に慣れる必要があった。
【００１５】
本発明は、上記問題点を鑑みてなされたものであり、接触型の入力装置に対し、スタイラスペンを使用することなく、容易に表示画面の拡大を行うことができる接触型入力装置、接触型入力方法及びプログラムを提供することを目的とする。
【００１６】
本発明に係る接触型入力装置は、表示手段を接触することにより入力操作を行う接触型入力装置であって、前記表示手段への接触操作を受け付けて、接触位置を取得する入力受付手段と、前記接触位置に基づき、前記表示手段に表示画像を拡大表示する拡大表示手段とを備えたことを特徴とする。
【００１７】
本発明に係る接触型入力方法は、表示画面を接触することにより入力操作を行う接触型入力方法であって、前記表示画面への接触操作を受け付け、受け付けられた接触操作の接触位置を取得し、前記接触位置に基づき、前記表示画面に表示画像を拡大表示することを特徴とする。
【００１８】
本発明のプログラムは、表示画面を接触することにより入力操作を行う接触型入力方法をコンピュータに実行させるためのプログラムであって、前記表示画面への接触操作を受け付けて、接触位置を取得する入力受付処理と、前記接触位置に基づき、前記表示画面に表示画像を拡大表示する拡大表示処理とをコンピュータに実行させることを特徴とする。
【００１９】
本発明の端末装置は、表示手段と、前記表示手段を接触することにより入力操作を行う入力装置を備えた端末装置であって、前記入力装置は、前記表示手段への接触操作を受け付けて、接触位置を取得する入力受付手段と、前記接触位置に基づき、前記表示手段に表示画像を拡大表示する拡大表示手段とを備えたことを特徴とする。
【図面の簡単な説明】
【００２０】
上述した目的、及びその他の目的、特徴及び利点は、以下に述べる好適な実施の形態、及びそれに付随する以下の図面によってさらに明らかになる。【００２１】
【図１】本発明の実施形態１に係る、接触型入力補助装置の構成を示すブロック図である。
【図２】本発明の実施形態１に係る、接触型入力補助方法の動作フローチャートを示す図である。
【図３】本発明の実施形態１に係る、入力受付手段の構成を示すブロック図である。
【図４】本発明の実施形態２に係る、接触型入力補助装置の構成を示すブロック図である。
【図５】本発明の実施形態２に係る、接触型入力補助方法の動作フローチャートを示す図である。
【図６】本発明の実施形態２に係る、操作判断手段の構成を示すブロック図である
【図７】本発明の実施形態２に係る、操作判断手段の動作フローチャートを示す図である。
【図８】本発明の実施形態２に係る、拡大表示手段の構成を示すブロック図である
【図９】本発明の実施形態２に係る、拡大表示処理のフローチャートを示す図である。
【図１０】本発明の実施形態２に係る、拡大表示画像を閉じる動作のフローチャートを示す図である。
【図１１】本発明に係る実施形態３において、タッチパネル入力装置を備えるストレート型の携帯電話を示したものである。
【図１２】本発明に係る実施形態３において、タッチパネル入力装置を備える折りたたみ式の携帯電話を示したものである。
【図１３】本発明に係る実施形態３において、表示画面の具体例を示したものである。
【図１４】本発明に係る実施形態３において、指定した箇所をもとにして、画像の一部を拡大表示した表示画像の具体例を示したものである。
【図１５】本発明に係る実施形態３において、ユーザが携帯電話を左手で握っている状態を示したものである。
【図１６】本発明に係る実施形態３において、ユーザが左手の操作で詳細ウィンドウを閉じる場合の具体例を示したものである。
【図１７】本発明に係る実施形態３において、ユーザが携帯電話を右手で握っている状態を示したものである。
【図１８】本発明に係る実施形態３において、ユーザが右手の操作で詳細ウィンドウを閉じる場合の具体例を示したものである。
【発明を実施するための最良の形態】
【００２２】
次に、本発明を実施するための実施形態１について、図面を参照して詳細に説明する。【００２３】
（実施形態１）
図１は、本実施形態における接触型入力装置の一例を示す。【００２４】
接触型入力装置は、例えば、タッチパネルディスプレイ２に接続された、入力受付手段４と、拡大表示手段６とを備える。入力受付手段４は、拡大表示手段６に接続され、タッチパネルディスプレイ２に接続される。入力受付手段４は、さらに、図示しない情報端末装置のインタフェース７に接続される。【００２５】
それぞれの手段は、専用に設計された半導体回路を含む専用部品の一部でも良いし、端末本体のＣＰＵにより機能を実現したものでも良い。【００２６】
図２を参照して、接触型入力装置の動作を示す。【００２７】
ユーザは、タッチパネルディスプレイ２に接触し、入力操作を行う（Ｓ１０１）。【００２８】
入力受付手段４は、ユーザの接触操作を受け付けて（Ｓ１０２）、接触位置の座標情報を得る（Ｓ１０３）。座標情報は、インタフェース７に入力される。【００２９】
拡大表示手段６は、接触位置の座標情報を元にして、タッチパネルディスプレイ２上の画像情報を拡大して表示する（Ｓ１０４）。【００３０】
図３は、本実施形態における入力受付手段４の一例を示す。【００３１】
入力受付手段４は、座標情報取得手段４ａと、入力情報選択手段４ｂとをそなえる。【００３２】
タッチパネルディスプレイ２の接触により、座標情報取得手段４ａは、タッチパネルディスプレイ２上の接触位置の座標情報を算出し、入力情報選択手段４ｂに座標情報を送る。【００３３】
入力方法選択手段４ｂは、インタフェース７から、画面の処理に関する状態の情報を取得する。すなわち、タッチパネルディスプレイ２への接触操作が、画面の拡大を指示するものであれば、接触位置の座標情報を拡大表示手段６とインタフェース７に送る。接触操作が、画面の拡大を指示するものでなければ、接触位置の座標情報を拡大表示手段６に送らずに、インタフェース７に送る。【００３４】
これにより、スタイラスペンなどの補助的な入力手段を特に必要とせずに、容易に表示画面の拡大を行うことが出来る。【００３５】
（実施形態２）
図４は、第２の実施形態における接触型入力装置の一例を示す。【００３６】
本実施形態の接触型入力装置は、上記の第１の実施形態の接触型入力装置に、操作判断手段３と、誤動作防止手段５を追加したものである。操作判断手段３は、タッチパネルディスプレイ２に接続されている。入力受付手段４は、操作判断手段３と、拡大表示手段６とを相互に結合する。入力受付手段４は、さらに、誤動作防止手段５を介して、図示しない情報端末装置のインタフェース７に接続される。操作判断手段３は、インタフェース７に接続される。【００３７】
図５を参照して、本実施形態の接触型入力装置の動作を示す。【００３８】
ユーザは、タッチパネルディスプレイ２に接触し、入力操作を行う（Ｓ２０１）。【００３９】
操作判断手段３は、タッチパネルディスプレイ２への接触が、ユーザによる接触操作であるのか否かを判断する（Ｓ２０２）。すなわち、タッチパネルディスプレイ２の外部にセンサを備え、タッチパネルディスプレイ２が接触されたときに、ユーザによるこのセンサの遮光などの操作を検出する。ユーザは、タッチパネルディスプレイ２を接触する目的でタッチパネルディスプレイ２を接触操作するときには、同時に、センサの遮光などの操作をすることにする。このようにして、タッチパネルディスプレイ２の接触がユーザの操作によるものか、或いは、意図せずにタッチパネルディスプレイ２が何かに触れたことによるものか、が判定される。【００４０】
誤動作防止手段５は、操作判断手段３により、接触操作がユーザによるものではないと判断された場合、接触操作のインタフェース７への入力を遮断する（Ｓ２０３）。【００４１】
操作判断手段３により、接触操作がユーザによるものであると判断された場合、入力受付手段４は、ユーザの接触操作を受け付けて（Ｓ２０４）、接触位置の座標の情報を得る（Ｓ２０５）。座標情報は、インタフェース７に入力される。【００４２】
拡大表示手段６は、接触位置の座標情報を元にして、タッチパネルディスプレイ２上の画像情報を拡大して表示する（Ｓ２０６）。【００４３】
これにより、ユーザによらずに画面が接触された場合に、誤って拡大画面を表示することを防止し、効率的なブラウズ操作が可能になる。【００４４】
図６は、本実施形態における操作判断手段３の一例を示す。【００４５】
操作判断手段３は、接触操作受付可能性検出手段３ａと、補助信号検出手段３ｂを備える。【００４６】
接触操作受付可能性検出手段３ａは、インタフェース７に接続され、インタフェース７の制御を受ける。補助信号検出手段３ｂには、センサが接続される。【００４７】
図７を参照して、操作判断手段３の動作を説明する。【００４８】
接触操作受付可能性検出手段３ａは、タッチパネルディスプレイ２が接触操作を受けて信号を出力できる状態にあるかどうかを判断する（Ｓ３０１）。【００４９】
情報処理端末が、タッチパネルディスプレイ２から信号を入力する段階であるときには、インタフェース７は、接触操作受付可能性検出手段３ａに接触操作受付可能状態であることを示す指示を送信する。【００５０】
補助信号検出手段３ｂは、ユーザがタッチパネル入力装置１を操作するときの、ユーザの状態を検出する。（Ｓ３０２）【００５１】
操作判断手段３は、接触操作受付可能性検出手段３ａの検出結果と、補助信号検出手段３ｂの検出結果を元にして、ユーザがタッチパネルディスプレイ２を接触することにより拡大画面を開閉して画面を見ているか否かを判断する。その結果により、ユーザの状態を表す信号を出力する。（Ｓ３０３）【００５２】
ユーザの状態を表す信号を出力した後、Ｓ３０１に戻り、接触操作が受け付けられる状態にあるか判断し、ユーザの操作による状態を検出する。この処理を繰り返すことにより、ユーザの状態を周期的に確認する。ユーザの状態に変化があれば、すぐに対応する。【００５３】
補助信号検出手段３ｂが検出する信号は、例えば、接続されたセンサからの信号である。【００５４】
センサは、例えば、光センサなどである。また、センサはタッチセンサでもよい。さらに、センサは、静電気によるセンサでもよい。ユーザがセンサを指などで遮光している状態を検出して、ユーザがタッチパネルディスプレイ２を操作しているか否かを判断する。【００５５】
図８は、本実施形態における、拡大表示手段６の一例を示す。【００５６】
拡大表示手段６は、拡大範囲画定手段６ａとそれに接続された画面拡大手段６ｂを備える。さらに、拡大表示画像終了手段６ｃ及び操作画面終了手段６ｄを備える。また、画面拡大手段６ｂに、文字フォント情報保持部６ｅを備えていてもよい。画面拡大手段で生成された拡大表示する画面データは、拡大表示画像データ保持手段６ｆに保持される。拡大表示手段６は、入力受付手段４に接続される。【００５７】
図９を参照して、画面を拡大表示する処理を説明する。【００５８】
操作判断手段３により、ユーザが拡大画面を開閉して画面を見ている状態であると判断される場合（Ｓ４０２）に、タッチパネルディスプレイ２の接触により信号が入力される（Ｓ４０１）と、入力受付手段４は、タッチパネルディスプレイ２上の接触位置の座標値を検出する（Ｓ４０３）。すなわち、タッチパネルディスプレイ２からの入力信号は、画面上の座標の情報を含んでおり、入力受付手段４は、この座標の情報を、拡大表示手段に送信する。拡大範囲画定手段は、検出された座標を中心とした所定の大きさの領域を画面上に画定する（Ｓ４０４）。所定の大きさは、領域の拡大率によって、適宜定めればよい。また、接触位置が画面の表示領域の周辺部に近く、座標を中心とした所定の大きさの領域の一部が表示画面の外に出るときは、所定の大きさの領域が表示画面内に含まれるように、中心位置を適宜移動してもよい。【００５９】
画定された領域は、指定された拡大率で拡大される（Ｓ４０５）。【００６０】
また、拡大された画面は、ユーザの操作により拡大画像を閉じる閉じボタンを備える。【００６１】
拡大画像は、表示画面の所定の大きさの領域を、指定された拡大率に、ビットを適宜補完して拡大しても良いし、文字フォント情報保持部から、文字フォント情報をとりだして、文字フォントを置き換えても良い。拡大した領域のデータをタッチパネルディスプレイ２に送出する（Ｓ４０６）。【００６２】
この操作を複数回繰り返すと、拡大表示が繰り返される。すなわち、拡大表示された画面上で、さらに、ユーザが接触操作をすると、さらに拡大された画面が表示される。【００６３】
図１０を参照して、拡大した画面を閉じる処理を説明する。【００６４】
既にユーザの操作により、拡大画像が表示されている場合（Ｓ５０１）、操作判断手段の出力により、ユーザが拡大画面を開閉して画面を見ている状態を維持しているか、見ている状態でなくなったかが判断される（Ｓ５０２）。例えば、センサ８が、ユーザが情報処理端末の操作を続行しないことを検出し、それにより、この遷移が判断される。【００６５】
または、接触操作受付可能の状態から、接触操作受付可能でない状態に遷移した場合は（Ｓ５０３）、拡大画像を保持する（Ｓ５０５）。或いは、処理内容によっては閉じても良い。【００６６】
接触操作受付可能な状態が変更されない場合は、ユーザが操作を続行しないと判断されるので、拡大した表示画像を閉じる（Ｓ５０４）。【００６７】
複数の拡大画像が表示されている場合は、一つの拡大画像を閉じても良いし、全ての表示画像を同時に閉じても良い。或いは、ダイアログを表示して確認しながら複数の画面を閉じても良い。【００６８】
ユーザが画面を見ている状態が変更されない場合、ユーザが拡大画像を閉じる操作をすると（Ｓ５０６）、拡大画像を閉じることが出来る（Ｓ５０７）。これは、拡大画像に備えられる閉じボタンを操作し、それにより、操作画面終了手段６ｄが拡大画像を閉じる。【００６９】
ユーザが拡大画像を閉じる操作をしなければ、拡大画像は保持される。【００７０】
拡大画像を閉じた後に、次の操作に進む前に、ユーザが閉じた画面を再び表示する、戻しボタン（図示せず）を備えても良い。この戻しボタンは、拡大表示画像が閉じた後の表示画面に表示し、次の操作に進むときに消去する。戻しボタンが接触されると、拡大表示画像データ保持手段６ｆに格納されている拡大表示画像の表示データを、再びタッチパネルディスプレイ２に表示する。戻しボタンが接触されずに、次の操作に進むときは、拡大表示画像データ保持手段６ｆに格納された拡大表示画像の表示データを解放する。【００７１】
これにより、ユーザが拡大画面を見ていたにもかかわらず、誤って閉じてしまった拡大表示画像を、簡単な操作で再び表示することができる。【００７２】
（実施形態３）
（１）タッチパネル入力装置を備える携帯電話
図１１は、本発明に係る実施形態として、タッチパネル入力装置を備える携帯電話を示したものである。【００７３】
図１１に示す携帯電話は、表示可能なタッチパネルディスプレイ１０と、ディスプレイ１０の上部に設けられたセンサ１００と、携帯電話の側面に設けられたセンサ１１０及び１２０とを備えている。【００７４】
このセンサ１００、１１０及び１２０は、光センサが望ましいが、本実施形態はこれに限られるものではなく、例えば、携帯電話の側面に、静電気センサを用いても良い。【００７５】
また、図１１は、ストレート型の携帯電話を示すが、本実施形態では、携帯電話はストレート型に限定されるものではなく、折りたたみ式の携帯電話でも良い。【００７６】
この折りたたみ式の携帯電話の一例を図１２に示す。【００７７】
図１２に示す折りたたみ式の携帯電話は、表示可能なタッチパネルディスプレイ１０Ａと、ディスプレイ１０Ａの上部に設けられたセンサ１００Ａと、携帯電話の側面に設けられたセンサ１１０Ａ及び１２０Ａとを備えている。【００７８】
図１１のストレート型の携帯電話と、図１２の折りたたみ式の携帯電話は、基本的な構成は同じである。従って、以後、図１２に示す折りたたみ式の携帯電話を用いて説明する。【００７９】
（２）タッチパネル入力装置を備える携帯電話の動作
次に、図１２に示す携帯電話の動作を説明する。【００８０】
図１２に示した携帯電話は、例えば、タッチパネルディスプレイ１０Ａ上にブラウザページを表示する。【００８１】
タッチパネルディスプレイ１０Ａに表示される表示画面の具体例を図１３に示す。【００８２】
図１３は、あるＷｅｂサイトを閲覧するときに表示される画面を示す。【００８３】
図１３を参照すると、タッチパネルディスプレイ１０Ａに、あるＷｅｂサイトのページ情報が表示される。このタッチパネルディスプレイ１０Ａは全てのコンテンツを表示するが、ブラウザ上に表示される文字が小さくなってしまい、文字の読み取りが困難である。【００８４】
そこで、ユーザは、ユーザの指３０を用いて、タッチパネルディスプレイ１０Ａに表示される画面において、詳細に表示したい箇所４０を選択し、接触する。【００８５】
ユーザによる接触操作により、タッチパネルディスプレイ１０Ａ上の、ユーザによって触られた箇所４０の近傍が拡大表示される。【００８６】
このときの表示画面の具体例が、図１４に示される。【００８７】
図１４に示す例において、タッチパネルディスプレイ１０Ａはユーザによって触られた箇所４０の近傍の領域を画定する。この領域は、詳細ウィンドウ２０として新たに生成された画面表示より、拡大して表示される。【００８８】
これにより、ユーザは、図１３において読み取ることができなかった小さい文字を、図１４のように拡大表示することにより、読み取ることができる。【００８９】
更にこの携帯電話は、タッチパネルディスプレイ１０Ａ上に拡大表示された詳細ウィンドウ２０のうち、より詳細な内容を確認したい場合には、再びユーザの指３０を用いて、詳細に表示したい箇所４５を選択することにより、更に拡大表示することができる。【００９０】
ここで、図１５は、上記のような操作を行っている際に、ユーザが携帯電話を左手で握っている状態を示したものである。【００９１】
なお、図１５に示した左手は、センサ１２０Ａ（図１５）の光センサ部分を、小指で遮光するように握っている。【００９２】
また、この携帯電話は、センサ１００Ａ（図１５）が受光しているときに稼働するものとする。【００９３】
そして、図１５の状態において、図１４に示す詳細ウィンドウ２０を閉じる場合は、ユーザは図１４のクローズボタン５０を接触操作する。この接触操作により、ユーザは詳細ウィンドウ２０を閉じることができる。【００９４】
また更に、本実施形態では、図１６に示すように、左手の小指に位置するセンサ１２０Ａからユーザの小指を離すことにより、拡大表示した詳細ウィンドウ２０を閉じることができる。この操作により、図１３の状態に戻る。【００９５】
なお、本実施形態では、ユーザの左手に位置するセンサ１２０Ａを利用して詳細ウィンドウ２０を閉じるが、実施形態はこれに限定されるものではなく、ユーザの右手を用いて、詳細ウィンドウ２０を閉じても良い。【００９６】
例えば、ユーザが携帯端末を右手で握っている実施形態を、図１７に示す。【００９７】
そして、ユーザは、図１７の状態から、図１８のように、右手の小指に位置するセンサ１１０Ａからユーザの小指を離すことにより、拡大表示した詳細ウィンドウ２０を閉じることができ、図１３の状態に戻すことができる。【００９８】
このように、光センサを使用して詳細ウィンドウ２０を閉じる場合には、センサ１００Ａが光を感知している状態で、遮光されていたセンサ１１０Ａもしくはセンサ１２０Ａの何れか一方が光を感知すると、詳細ウィンドウ２０を閉じる。【００９９】
（３）タッチパネル入力装置を備える携帯電話の効果
本実施形態によれば、タッチパネル入力装置は、詳細に表示したい箇所を詳細ウィンドウ２０によって拡大表示することにより、スタイラスペンが無くてもＷｅｂページを詳細に閲覧することができる。【０１００】
また、ユーザの指だけで詳細に表示したい箇所を拡大表示することができるので、ユーザは、正確かつ簡単に詳細な閲覧ができる。【０１０１】
更に、センサを使用することにより、タッチパネルディスプレイ１０Ａのセンサ１００Ａが受光し、かつセンサ１１０Ａ及び１２０Ａが受光しない場合のみ、タッチパネルディスプレイ１０Ａの入力を受け付けるようにすることができる。【０１０２】
センサ１００Ａが受光しない場合には、この携帯電話は動作しない。これにより、誤動作が防止される。【０１０３】
また、センサ１００Ａが受光すると共に、センサ１１０Ａ又は１２０Ａが受光したときに、詳細ウィンドウを閉じるので、タッチパネルディスプレイ１０Ａを簡単に操作できる。これにより、鞄の中での誤動作や落下などによる誤動作が防止される。【０１０４】
（４）他の実施形態
実施形態３は、タッチパネル入力装置を備える携帯電話を例示したが、本実施形態はこれに限定されるものではなく、例えば、カーナビゲーションやゲーム機などにも適用できる。【０１０５】
具体的には、カーナビゲーションに適用した入力装置は、例えば、詳細な道順を確認したい地図を拡大表示させると共に、ユーザがカーナビゲーションを操作している場合に、自動車の発進を拒否させる。【０１０６】
なお、実施形態３では、センサ１００Ａ、センサ１１０Ａ及び１２０Ａが操作判断手段及び誤動作防止手段であり、タッチパネルディスプレイ１０Ａが入力受付手段及び拡大表示手段であるが、実施形態はこれに限られるものではなく、他の構成によって、これらを実現しても良い。【０１０７】
本発明によれば、接触型入力装置は、表示画面に表示された画面のうち接触操作された位置に基づいて拡大表示することにより、表示画面に詳細な画面を表示する。これにより、正確なタッチパネルの入力操作が可能になる。【０１０８】
これにより、スタイラスペンを使用することなく、容易に表示画面の拡大を行うことができる接触型入力装置及び接触型入力方法を実現できる。【０１０９】
この出願は、２００７年８月１３日に出願された日本出願特願２００７−２１０８４２号を基礎とする優先権を主張するものであり、その開示の全ては、本明細書の一部として援用（ｉｎｃｏｒｐｏｒａｔｉｏｎ  ｈｅｒｅｉｎ  ｂｙ  ｒｅｆｅｒｅｎｃｅ）される。【０１１０】
以上、実施形態を参照して本願発明を説明したが、本願発明は上記実施形態に限定されるものではない。本願発明の構成や詳細には、本願発明のスコープ内で当業者が理解しうる様々な変更をすることができる。
【図１】
2009022671.tif 000003
【図２】
2009022671.tif 000004
【図３】
2009022671.tif 000005
【図４】
2009022671.tif 000006
【図５】
2009022671.tif 000007
【図６】
2009022671.tif 000008
【図７】
2009022671.tif 000009
【図８】
2009022671.tif 000010
【図９】
2009022671.tif 000011
【図１０】
2009022671.tif 000012
【図１１】
2009022671.tif 000013
【図１２】
2009022671.tif 000014
【図１３】
2009022671.tif 000015
【図１４】
2009022671.tif 000016
【図１５】
2009022671.tif 000017
【図１６】
2009022671.tif 000018
【図１７】
2009022671.tif 000019
【図１８】
2009022671.tif 000020
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
表示手段を接触することにより入力操作を行う接触型入力装置であって、
前記表示手段への接触操作を受け付けて接触位置を取得する入力受付手段と、
前記接触位置に基づき前記表示手段に表示画像を拡大表示する拡大表示手段と、
を備えたことを特徴とする接触型入力装置。
【請求項２】
前記表示手段への前記接触操作がユーザによる接触操作であるか否かを判断する操作判断手段と、
前記操作判断手段により前記接触操作が前記ユーザによる接触操作ではないと判断された場合には前記入力操作を拒否する誤動作防止手段をさらに備え、
前記操作判断手段により前記接触操作が前記ユーザによる接触操作であると判断された場合には前記入力受付手段は前記入力操作を受け付ける
ことを特徴とする請求項1に記載の接触型入力装置。
【請求項３】
前記拡大表示手段は、
前記拡大表示された表示画像を接触することにより前記入力受付手段によって取得された接触位置に基づき前記表示画像をさらに拡大表示する
ことを特徴とする請求項１又は２に記載の接触型入力装置。
【請求項４】
検知手段をさらに備え、
前記操作判断手段は、
前記表示手段が前記ユーザによる前記接触操作を受け付け可能であるか否かを判断する第１の判断手段と、
前記検知手段により検知された結果に基づき前記ユーザの状態を判断する第２の判断手段と、
を備えることを特徴とする請求項１乃至３の何れか１項に記載の接触型入力装置。
【請求項５】
前記拡大表示手段は、
拡大表示した表示画像がある場合であって、前記操作判断手段によって前記ユーザの状態が第１の状態から第２の状態に変化したと判断される場合に、前記拡大表示した表示画像を閉じる拡大表示画像終了手段
を備えることを特徴とする請求項１乃至４の何れか１項に記載の接触型入力装置。
【請求項６】
前記ユーザの操作により前記拡大表示された表示画像を閉じる操作画面終了手段
を更に備えることを特徴とする請求項１乃至５の何れか１項に記載の接触型入力装置。
【請求項７】
前記検知手段は光検知手段であって、
前記第２の判断手段は、
前記光検知手段により前記ユーザの指による操作を検知する
ことを特徴とする請求項４に記載の接触型入力装置。
【請求項８】
表示手段を接触することにより入力操作を行う接触型入力方法であって、
前記表示手段への接触操作を受け付け、
受け付けられた接触操作の接触位置を取得し、
前記接触位置に基づき前記表示手段に表示画像を拡大表示する
ことを特徴とする接触型入力方法。
【請求項９】
前記表示手段への前記接触操作がユーザによる接触操作であるか否かを判断し、
前記接触操作が前記ユーザによる接触操作ではないと判断された場合には前記入力操作を拒否し、
前記接触操作が前記ユーザによる接触操作であると判断された場合には前記入力操作を受け付ける
ことを特徴とする請求項８に記載の接触型入力方法。
【請求項１０】
前記拡大表示された表示画像を接触することにより受け付けられた接触位置に基づき前記表示画像をさらに拡大表示する
ことを特徴とする請求項８又は９に記載の接触型入力方法。
【請求項１１】
前記表示手段が前記ユーザによる前記接触操作を受け付け可能であるか否かを判断し、
検知手段により検知された結果に基づき前記ユーザの状態を判断する
ことを特徴とする請求項８乃至１０の何れか１項に記載の接触型入力方法。
【請求項１２】
拡大表示した表示画像がある場合であって、前記ユーザの状態が第１の状態から第２の状態に変化したと判断される場合に、前記拡大表示した表示画像を閉じる
ことを特徴とする請求項８乃至１１の何れか１項に記載の接触型入力方法。
【請求項１３】
前記ユーザの操作により前記拡大表示された表示画像を閉じる
ことを特徴とする請求項８乃至１２の何れか１項に記載の接触型入力方法。
【請求項１４】
前記検知手段は光検知手段であって、
前記光検知手段により前記ユーザの指による操作を検知する
ことを特徴とする請求項１１に記載の接触型入力方法。
【請求項１５】
表示手段を接触することにより入力操作を行う接触型入力操作をコンピュータに実行させるためのプログラムであって、
前記表示手段への接触操作を受け付けて接触位置を取得する入力受付処理と、
前記接触位置に基づき前記表示手段に表示画像を拡大表示する拡大表示処理と
をコンピュータに実行させることを特徴とするプログラム。
【請求項１６】
前記表示手段への前記接触操作がユーザによる接触操作であるか否かを判断する操作判断処理と、
前記接触操作が前記ユーザによる接触操作ではないと判断された場合には前記入力操作を拒否する誤動作防止処理と、
前記接触操作が前記ユーザによる接触操作であると判断された場合には前記ユーザの入力操作を受け付ける入力受付処理と
をコンピュータに実行させることを特徴とする請求項１５に記載のプログラム。
【請求項１７】
前記拡大表示された表示画像を接触することにより受け付けられた接触位置に基づき前記表示画像をさらに拡大表示する処理
をコンピュータに実行させることを特徴とする請求項１５又は１６に記載のプログラム。
【請求項１８】
前記表示手段が前記ユーザによる前記接触操作を受け付け可能であるか否かを判断する第１の判断処理と、
検知手段により検知された結果に基づき前記ユーザの状態を判断する第２の判断処理と
をコンピュータに実行させることを特徴とする請求項１５乃至１７の何れか１項に記載のプログラム。
【請求項１９】
拡大表示した表示画像がある場合であって、前記ユーザの状態が第１の状態から第２の状態に変化したと判断される場合に、前記拡大表示した表示画像を閉じる処理
をコンピュータに実行させることを特徴とする請求項１５乃至１８の何れか１項に記載のプログラム。
【請求項２０】
前記ユーザの操作により前記拡大表示された表示画像を閉じる処理
をコンピュータに実行させることを特徴とする請求項１５乃至１９の何れか１項に記載のプログラム。
【請求項２１】
前記検知手段は光検知手段であって、
前記光検知手段により前記ユーザの指による操作を検知する
ことを特徴とする請求項１８に記載のプログラム。
【請求項２２】
表示手段と、前記表示手段を接触することにより入力操作を行う入力装置を備えた端末装置であって、
前記入力装置は、
前記表示手段への接触操作を受け付けて接触位置を取得する入力受付手段と、
前記接触位置に基づき前記表示手段に表示画像を拡大表示する拡大表示手段と
を備えたことを特徴とする端末装置。
【国際調査報告】
2009022671.tif 000021
2009022671.tif 000022
2009022671.tif 000023
2009022671.tif 000024